(57)【特許請求の範囲】
【請求項１】
無線ＬＡＮにおけるチャネルサウンディング方法であって、前記方法は、
２０ＭＨｚＮＤＰＡ（Ｎｕｌｌ  Ｄａｔａ  Ｐａｃｋｅｔ  Ａｎｎｏｕｎｃｅｍｅｎｔ）フレームを装置によって、生成することと、
前記装置によって、前記２０ＭＨｚＮＤＰＡフレームを複製して、複製された２０ＭＨｚＮＤＰＡフレームを生成することと、
チャネルサウンディングを開始するために、前記２０ＭＨｚＮＤＰＡフレームおよび前記複製された２０ＭＨｚＮＤＰＡフレームと、それに続くＮＤＰ（Ｎｕｌｌ  Ｄａｔａ  Ｐａｃｋｅｔ）とを、２つ以上の２０ＭＨｚチャネルを含む送信帯域幅を介して、前記装置によって送信することと、
前記ＮＤＰと、前記２０ＭＨｚＮＤＰＡフレームおよび前記複製された２０ＭＨｚＮＤＰＡフレームのうちの少なくとも１つとを受信した受信器から、レポートフレームを受信帯域幅を介して、前記装置によって受信することと
を含み、
前記受信帯域幅は、前記送信帯域幅よりも広くなく、
前記２０ＭＨｚＮＤＰＡフレームおよび前記複製された２０ＭＨｚＮＤＰＡフレームの各々は、前記送信帯域幅を示す第１の帯域幅情報を含む、方法。
【請求項２】
前記２０ＭＨｚＮＤＰＡフレームを複製することは、前記複製された２０ＭＨｚＮＤＰＡフレームと少なくとも１つの追加の複製された２０ＭＨｚＮＤＰＡフレームとを生成することを含む、請求項１に記載の方法。
【請求項３】
前記２０ＭＨｚＮＤＰＡフレームおよび前記複製された２０ＭＨｚＮＤＰＡフレームの各々は、信号フィールドおよびデータフィールドを含み、前記第１の情報は、前記信号フィールドに含まれる、請求項１に記載の方法。
【請求項４】
第２の帯域幅情報に基づいて前記データフィールドを処理することをさらに含み、
前記第２の帯域幅情報は、前記送信帯域をも示す、請求項３に記載の方法。
【請求項５】
前記データフィールドを処理することは、前記データフィールドをスクランブラを用いてスクランブルすることを含み、
前記第２の帯域幅情報は、前記スクランブラの状態を初期化するために用いられる、請求項４に記載の方法。
【請求項６】
前記レポートフレームは、ビーム形成フィードバック行列に関する情報と、前記ビーム形成フィードバック行列を生成するために用いられるチャネル帯域幅に関する情報とを含み、前記チャネル帯域幅に関する情報は、前記送信帯域幅に対応する値に設定されている前記ビーム形成フィードバック行列を生成するために用いられる、請求項１に記載の方法。
【請求項７】
無線ＬＡＮにおいてチャネルサウンディングを実行するように構成された装置であって、前記装置は、
信号を送信および受信するように構成されたトランシーバと、
前記トランシーバに動作可能に接続されたプロセッサであって、
２０ＭＨｚＮＤＰＡ（Ｎｕｌｌ  Ｄａｔａ  Ｐａｃｋｅｔ  Ａｎｎｏｕｎｃｅｍｅｎｔ）フレームを生成することと、
前記２０ＭＨｚＮＤＰＡフレームを複製して、複製された２０ＭＨｚＮＤＰＡフレームを生成することと、
チャネルサウンディングを開始するために、前記２０ＭＨｚＮＤＰＡフレームおよび前記複製された２０ＭＨｚＮＤＰＡフレームと、それに続くＮＤＰ（Ｎｕｌｌ  Ｄａｔａ  Ｐａｃｋｅｔ）とを、２つ以上の２０ＭＨｚチャネルを含む送信帯域幅を介して送信することと、
前記ＮＤＰと、前記２０ＭＨｚＮＤＰＡフレームおよび前記複製された２０ＭＨｚＮＤＰＡフレームのうちの少なくとも１つとを受信した受信器からレポートフレームを受信帯域幅を介して受信することと
を行うように構成されたプロセッサと
を含み、
前記受信帯域幅は、前記送信帯域幅よりも広くなく、
前記２０ＭＨｚＮＤＰＡフレームおよび前記複製された２０ＭＨｚＮＤＰＡフレームの各々とは、前記送信帯域幅を示す第１の帯域幅情報を含む、装置。
【請求項８】
前記２０ＭＨｚＮＤＰＡフレームを複製することは、前記複製された２０ＭＨｚＮＤＰＡフレームと少なくとも１つの追加の複製された２０ＭＨｚＮＤＰＡフレームとを生成することを含む、請求項７に記載の装置。
【請求項９】
前記２０ＭＨｚＮＤＰＡフレームおよび前記複製された２０ＭＨｚＮＤＰＡフレームの各々は、信号フィールドおよびデータフィールドを含み、前記第１の情報は、前記信号フィールドに含まれる、請求項７に記載の装置。
【請求項１０】
前記プロセッサは、第２の帯域幅情報に基づいて前記データフィールドを処理するように構成され、
前記第２の帯域幅情報は、前記送信帯域をも示す、請求項９に記載の装置。
【請求項１１】
前記データフィールドを処理することは、前記データフィールドをスクランブラを用いてスクランブルすることを含み、
前記第２の帯域幅情報は、前記スクランブラの状態を初期化するために用いられる、請求項１０に記載の装置。
【請求項１２】
前記レポートフレームは、ビーム形成フィードバック行列に関する情報と、前記ビーム形成フィードバック行列を生成するために用いられるチャネル帯域幅に関する情報とを含み、前記チャネル帯域幅に関する情報は、前記送信帯域幅に対応する値に設定されている前記ビーム形成フィードバック行列を生成するために用いられる、請求項７に記載の装置。
【発明の詳細な説明】
【技術分野】
【０００１】
本発明は、無線ＬＡＮシステムに関し、より詳しくは、無線ＬＡＮシステムにおけるステーション(Ｓｔａｔｉｏｎ；ＳＴＡ)間のチャネルサウンディング方法及びそれをサポートする装置に関する。
【背景技術】
【０００２】
最近、情報通信技術の発展とともに多様な無線通信技術が開発されている。このうち無線ＬＡＮ(ＷＬＡＮ)は、無線周波数技術に基づいて個人携帯用情報端末機(Ｐｅｒｓｏｎａｌ Ｄｉｇｉｔａｌ Ａｓｓｉｓｔａｎｔ；ＰＤＡ)、ラップトップコンピュータ、携帯用マルチメディアプレーヤ(Ｐｏｒｔａｂｌｅ Ｍｕｌｔｉｍｅｄｉａ Ｐｌａｙｅｒ；ＰＭＰ)等のような携帯用端末機を利用して家庭や企業または特定サービス提供地域で無線でインターネットに接続することができるようにする技術である。
【０００３】
無線ＬＡＮで脆弱点と指摘されてきた通信速度に対する限界を克服するために、比較的最近に制定された技術規格としてＩＥＥＥ８０２.１１ｎがある。ＩＥＥＥ８０２.１１ｎは、ネットワークの速度と信頼性を増加させ、無線ネットワークの運営距離を拡張することを目的にする。より具体的に、ＩＥＥＥ８０２.１１ｎでは、データ処理速度が最大５４０Ｍｂｐｓ以上である高処理率(ＨｉｇｈＴｈｒｏｕｇｈｐｕｔ；ＨＴ)をサポートし、送信エラーを最小化してデータ速度を最適化するために、送信部と受信部の両方ともに多重アンテナを使用するＭＩＭＯ(Ｍｕｌｔｉｐｌｅ Ｉｎｐｕｔｓ ａｎｄ Ｍｕｌｔｉｐｌｅ Ｏｕｔｐｕｔｓ)技術に基づいく。
【０００４】
ＷＬＡＮの普及が活性化され、これを利用したアプリケーションが多様化されることによって、最近にはＩＥＥＥ８０２.１１ｎがサポートするデータ処理速度より高い処理率をサポートするための新たなＷＬＡＮシステムに対する必要性が台頭されている。超高処理率(Ｖｅｒｙ Ｈｉｇｈ Ｔｈｒｏｕｇｈｐｕｔ；ＶＨＴ)をサポートする次世代無線ＬＡＮシステムは、ＩＥＥＥ８０２.１１ｎ無線ＬＡＮシステムの次のバージョンであり、ＭＡＣサービス接続ポイント(Ｓｅｒｖｉｃｅ Ａｃｃｅｓｓ Ｐｏｉｎｔ；ＳＡＰ)で１Ｇｂｐｓ以上のデータ処理速度をサポートするために最近に新たに提案されているＩＥＥＥ８０２.１１無線ＬＡＮシステムのうち一つである。
【０００５】
次世代無線ＬＡＮシステムは、無線チャネルを効率的に利用するために、複数の非ＡＰ ＳＴＡが同時にチャネルに接近するＭＵ−ＭＩＭＯ(Ｍｕｌｔｉ ＵｓｅｒＭｕｌｔｉｐｌｅ Ｉｎｐｕｔ Ｍｕｌｔｉｐｌｅ Ｏｕｔｐｕｔ)方式の送信をサポートする。ＭＵ−ＭＩＭＯ送信方式によると、ＡＰがＭＩＭＯペアリングされた一つ以上のＳＴＡに同時にフレームを送信することができる。
【０００６】
ＡＰとＭＵ−ＭＩＭＯペアリングされた複数のＳＴＡは、各々異なる性能(ｃａｐａｂｉｌｉｔｙ)を有するようになることができる。この時、ＳＴＡの種類、使用目的、チャネル環境などによってサポートを受けることができる帯域幅、ＭＣＳ(Ｍｏｄｕｌａｔｉｏｎ Ｃｏｄｉｎｇ Ｓｃｈｅｍｅ)、ＦＥＣ(Ｆｏｒｗａｒｄ ＥｒｒｏｒＣｏｒｒｅｃｔｉｏｎ)などが異なる。
【０００７】
無線ＬＡＮシステムにおけるＡＰ及び/またはＳＴＡは、受信対象ＡＰ及び/またはＳＴＡにフレームの送信において使用するチャネルに対する情報を取得することができる。これはチャネルサウンディング手順を介して実行されることができる。即ち、送信機は受信機にフレーム送受信のために使用するチャネル情報を要求し、受信機はチャネルを推定し、これに対するチャネル情報を送信機にフィードバックする過程がデータフレーム送受信以前に実行されることができる。一方、次世代無線ＬＡＮシステムは、より広いチャネル帯域幅とＭＵ−ＭＩＭＯ送信技法が導入されるため、送信対象ＡＰ及び/またはＳＴＡから受信を受けるチャネル情報の量がより一層多くなることができる。より多いフィードバック情報を送信するために、送信対象ＡＰ及び/またはＳＴＡはより長い時間チャネルに接近しなければならない。
【０００８】
ＡＰ及び/またはＳＴＡがチャネルサウンディングのための手順を実行中に必要な制御情報及びデータを正常に受信することができないこともある。この場合、チャネルを推定することが意図されるＳＴＡ及び/またはＳＴＡは、チャネル推定をすることができない、またはチャネルサウンディングが開始されたかどうかが分からないため、フィードバックフレームを送信しない。この場合、チャネルサウンディングを開始したＡＰ及び/またはＳＴＡは、フィードバックフレームを受信することができないため、チャネルサウンディングを初めから開始するようになる。したがって、既にチャネルを推定したＳＴＡ及び/またはＳＴＡは、不必要な動作によるパワーを消耗し、チャネルは必要無しに占有される問題が引き起こされる。したがって、前記のような問題点を改善することができるチャネルサウンディング方法の導入が要求される。
【発明の概要】
【発明が解決しようとする課題】
【０００９】
本発明が解決しようとする技術的な課題は、ＭＵ−ＭＩＭＯ(Ｍｕｌｔｉ Ｕｓｅｒ−Ｍｕｌｔｉｐｌｅ Ｉｎｐｕｔ Ｍｕｌｔｉｐｌｅ Ｏｕｔｐｕｔ)をサポートする次世代無線ＬＡＮシステムにおいて、ステーション(Ｓｔａｔｉｏｎ；ＳＴＡ)によるチャネルサウンディング方法を提供することである。
【課題を解決するための手段】
【００１０】
一態様において、無線ＬＡＮシステムにおけるチャネルサウンディング方法が提供される。前記方法は、ＮＤＰＡ(Ｎｕｌｌ Ｄａｔａ Ｐａｃｋｅｔ Ａｎｎｏｕｎｃｅｍｅｎｔ)フレームを送信し、前記ＮＤＰＡフレームは、チャネル状態情報フィードバックを要求し、及びＮＤＰ(Ｎｕｌｌ Ｄａｔａ Ｐａｃｋｅｔ)が送信されることを知らせ、複数の受信機のためのチャネル推定の基盤となるＮＤＰフレームを送信し、前記複数の受信機のうち第１の受信機から第１のフィードバックフレームを受信し、第２の受信機にフィードバックポールフレーム(ｆｅｅｄｂａｃｋｐｏｌｌ ｆｒａｍｅ)を送信し、及び、前記送信機が前記第２の受信機から第２のフィードバックフレームを受信することを含む。前記第２のフィードバックフレームは、前記第２の受信機により推定された第２のチャネル状態情報を含む。前記第１の受信機がチャネル推定に失敗すると、前記第１のフィードバックフレームは、ナルフィードバックフレーム(ｎｕｌｌ ｆｅｅｄｂａｃｋ ｆｒａｍｅ)である。前記ナルフィードバックフレームは、チャネル状態情報を含まないフィードバックフレームである。
【００１１】
前記第１のフィードバックフレームは、前記ＮＤＰＡフレームが送信された帯域幅を介して送信される。
【００１２】
前記ＮＤＰフレームは、前記ＮＤＰフレームが送信される時間区間を指示する長さフィールドを含む。
【００１３】
前記第１のフィードバックフレームは、前記ＮＤＰフレーム送信が終了された時点から前記時間区間が経過した後に送信される。
【００１４】
前記第１のフィードバックフレームは、第１のチャネル状態情報を含む。前記第１の受信機が前記ＮＤＰＡフレームが送信される参照帯域幅より狭い帯域幅を介して前記ＮＤＰＡフレーム及び前記ＮＤＰフレームを受信すると、前記第１のチャネル状態情報は、前記帯域幅に対して推定されたチャネル情報である。
【００１５】
前記第１のフィードバックフレームは、前記帯域幅を介して送信される。
【００１６】
前記フィードバックポールフレームは、前記第２のチャネル状態情報が推定された推薦帯域幅を指示するチャネル推定帯域幅指示フィールドを含む。
【００１７】
前記フィードバックポールフレームは、前記第２のフィードバックフレームが送信される最大帯域幅を指示するフィードバックフレーム帯域幅指示フィールドをさらに含む。
【００１８】
前記フィードバックポールフレームは、前記帯域幅が前記参照帯域幅より狭い少なくとも一つの理由を指示する理由フィールドをさらに含む。
【００１９】
前記少なくとも一つの理由は、少なくとも一つの理由コードの各々に対応される。
【００２０】
他の態様において、無線装置が提供される。前記無線装置は、フレームを送信及び受信するトランシーバ（ｔｒａｎｓｃｅｉｖｅｒ）、及び前記トランシーバと機能的に結合されたプロセッサ（ｐｒｏｃｅｓｓｏｒ）を含む。前記プロセッサは、ＮＤＰＡ（Ｎｕｌｌ  Ｄａｔａ  Ｐａｃｋｅｔ  Ａｎｎｏｕｎｃｅｍｅｎｔ）フレームを送信し、前記ＮＤＰＡフレームは、チャネル状態情報フィードバックを要求し、及びＮＤＰ（Ｎｕｌｌ  Ｄａｔａ  Ｐａｃｋｅｔ）が送信されることを知らせ、複数の受信機のためのチャネル推定の基盤となるＮＤＰフレームを送信し、前記複数の受信機のうち第１の受信機から第１のフィードバックフレームを受信し、第２の受信機にフィードバックポールフレーム（ｆｅｅｄｂａｃｋ  ｐｏｌｌ  ｆｒａｍｅ）を送信し、及び、前記第２の受信機から第２のフィードバックフレームを受信するように設定される。前記第２のフィードバックフレームは、前記第２の受信機により推定された第２のチャネル状態情報を含む。前記第１の受信機がチャネル推定に失敗すると、前記第１のフィードバックフレームは、ナルフィードバックフレーム（ｎｕｌｌ  ｆｅｅｄｂａｃｋ  ｆｒａｍｅ）である。前記ナルフィードバックフレームは、チャネル状態情報を含まないフィードバックフレームである。
（項目１）
無線ＬＡＮシステムにおけるチャネルサウンディング方法において、前記方法は、
送信機がＮＤＰＡ（Ｎｕｌｌ  Ｄａｔａ  Ｐａｃｋｅｔ  Ａｎｎｏｕｎｃｅｍｅｎｔ）フレームを送信し、前記ＮＤＰＡフレームは、チャネル状態情報フィードバックを要求し、及びＮＤＰ（Ｎｕｌｌ  Ｄａｔａ  Ｐａｃｋｅｔ）が送信されることを知らせ；
前記送信機が複数の受信機のためのチャネル推定の基盤となるＮＤＰフレームを送信し；
前記送信機が前記複数の受信機のうち第１の受信機から第１のフィードバックフレームを受信し；
前記送信機が第２の受信機にフィードバックポールフレーム（ｆｅｅｄｂａｃｋ  ｐｏｌｌ  ｆｒａｍｅ）を送信し；及び、
前記送信機が前記第２の受信機から第２のフィードバックフレームを受信することを含み、
前記第２のフィードバックフレームは、前記第２の受信機により推定された第２のチャネル状態情報を含み、
前記第１の受信機がチャネル推定に失敗すると、前記第１のフィードバックフレームは、ナルフィードバックフレーム（ｎｕｌｌ  ｆｅｅｄｂａｃｋ  ｆｒａｍｅ）であり、
前記ナルフィードバックフレームは、チャネル状態情報を含まないフィードバックフレームであることを特徴とするチャネルサウンディング方法。
（項目２）
前記第１のフィードバックフレームは、前記ＮＤＰＡフレームが送信された帯域幅を介して送信されることを特徴とする項目１に記載のチャネルサウンディング方法。
（項目３）
前記ＮＤＰフレームは、前記ＮＤＰフレームが送信される時間区間を指示する長さフィールドを含むことを特徴とする項目２に記載のチャネルサウンディング方法。
（項目４）
前記第１のフィードバックフレームは、前記ＮＤＰフレーム送信が終了された時点から前記時間区間が経過した後に送信されることを特徴とする項目３に記載のチャネルサウンディング方法。
（項目５）
前記第１のフィードバックフレームは、第１のチャネル状態情報を含み、及び、
前記第１の受信機が前記ＮＤＰＡフレームが送信される参照帯域幅より狭い帯域幅を介して前記ＮＤＰＡフレーム及び前記ＮＤＰフレームを受信すると、前記第１のチャネル状態情報は、前記帯域幅に対して推定されたチャネル情報であることを特徴とする項目１に記載のチャネルサウンディング方法。
（項目６）
前記第１のフィードバックフレームは、前記帯域幅を介して送信されることを特徴とする項目５に記載のチャネルサウンディング方法。
（項目７）
前記フィードバックポールフレームは、前記第２のチャネル状態情報が推定された推薦帯域幅を指示するチャネル推定帯域幅指示フィールドを含むことを特徴とする項目６に記載のチャネルサウンディング方法。
（項目８）
前記フィードバックポールフレームは、前記第２のフィードバックフレームが送信される最大帯域幅を指示するフィードバックフレーム帯域幅指示フィールドをさらに含むことを特徴とする項目６に記載のチャネルサウンディング方法。
（項目９）
前記フィードバックポールフレームは、前記帯域幅が前記参照帯域幅より狭い少なくとも一つの理由を指示する理由フィールドをさらに含むことを特徴とする項目８に記載のチャネルサウンディング方法。
（項目１０）
前記少なくとも一つの理由は、少なくとも一つの理由コードの各々に対応されることを特徴とする項目９に記載のチャネルサウンディング方法。
（項目１１）
無線装置は、
フレームを送信及び受信するトランシーバ（ｔｒａｎｓｃｅｉｖｅｒ）；及び、
前記トランシーバと機能的に結合されたプロセッサ（ｐｒｏｃｅｓｓｏｒ）；を含み、前記プロセッサは、
ＮＤＰＡ（Ｎｕｌｌ  Ｄａｔａ  Ｐａｃｋｅｔ  Ａｎｎｏｕｎｃｅｍｅｎｔ）フレームを送信し、前記ＮＤＰＡフレームは、チャネル状態情報フィードバックを要求し、及びＮＤＰ（Ｎｕｌｌ  Ｄａｔａ  Ｐａｃｋｅｔ）が送信されることを知らせ、
複数の受信機のためのチャネル推定の基盤となるＮＤＰフレームを送信し、
前記複数の受信機のうち第１の受信機から第１のフィードバックフレームを受信し、
第２の受信機にフィードバックポールフレーム（ｆｅｅｄｂａｃｋ  ｐｏｌｌ  ｆｒａｍｅ）を送信し、及び、
前記第２の受信機から第２のフィードバックフレームを受信するように設定され、
前記第２のフィードバックフレームは、前記第２の受信機により推定された第２のチャネル状態情報を含み、
前記第１の受信機がチャネル推定に失敗すると、前記第１のフィードバックフレームは、ナルフィードバックフレーム（ｎｕｌｌ  ｆｅｅｄｂａｃｋ  ｆｒａｍｅ）であり、
前記ナルフィードバックフレームは、チャネル状態情報を含まないフィードバックフレームであることを特徴とする無線装置。
【発明の効果】
【００２１】
本発明の実施例によると、チャネルサウンディング手順において、最優先順位にフィードバックする受信ステーション(ｓｔａｔｉｏｎ；ＳＴＡ)がチャネル推定に失敗しても、複製タイプ(ｄｕｐｌｉｃａｔｅｔｙｐｅ)に送信されるＮＤＰＡを特定帯域幅に対して正常に受信すると、ＡＰのような送信ＳＴＡにナルフィードバックフレーム(ｎｕｌｌ ｆｅｅｄｂａｃｋ ｆｒａｍｅ)を送信する。ＡＰは、ナルフィードバックフレームを受信すると、他の受信ＳＴＡに対して残ったチャネルサウンディング手順を進行することができる。これにより、最優先順位フィードバックする受信ＳＴＡがチャネル推定に失敗しても、残りの受信ＳＴＡによって推定されたチャネル状態情報(ｃｈａｎｎｅｌ ｓｔａｔｅ ｉｎｆｏｒｍａｔｉｏｎ)がフィードバックされることができるため、既存に比べてチャネルサウンディング効率が向上することができる。
【００２２】
本発明の実施例によると、受信ＳＴＡがＮＤＰＡ(ｎｕｌｌ ｄａｔａ ｐａｃｋｅｔ ａｎｎｏｕｎｃｅｍｅｎｔ)フレーム及び/またはＮＤＰフレームを受信するにあたって、特定帯域幅に干渉が発生する場合、チャネル状態情報のための帯域幅及びフィードバックフレームのための帯域幅が調節される。これにより、特定帯域幅に対する干渉や他のＳＴＡによるチャネル占有を回避してチャネルサウンディングを進行することができるため、効率性が向上することができる。
【図面の簡単な説明】
【００２３】
【図１】本発明の実施例が適用されることができる無線ＬＡＮ(Ｗｉｒｅｌｅｓｓ Ｌｏｃａｌ Ａｒｅａ Ｎｅｔｗｏｒｋ；ＷＬＡＮ)システムの構成を示す。
【図２】ＩＥＥＥ８０２.１１によりサポートされる無線ＬＡＮシステムの物理階層アーキテクチャを示す。
【図３】無線ＬＡＮシステムで使われるＰＰＤＵフォーマットの一例を示す。
【図４】次世代無線ＬＡＮシステムでＮＤＰを利用したチャネルサウンディング方法を示す。
【図５】本発明の実施例に係るチャネルサウンディング方法を示す。
【図６】本発明の実施例が適用されることができるチャネル使用の他の例示を示す。
【図７】本発明の実施例が適用されることができるチャネル使用の他の例示を示す。
【図８】本発明の実施例に係るチャネルサウンディングの例示を示す。
【図９】本発明の実施例が適用されることができる無線装置を示すブロック図である。
【発明を実施するための形態】
【００２４】
図１は、本発明の実施例が適用されることができる無線ＬＡＮ(Ｗｉｒｅｌｅｓｓ Ｌｏｃａｌ Ａｒｅａ Ｎｅｔｗｏｒｋ；ＷＬＡＮ)システムの構成を示す。
【００２５】
ＷＬＡＮシステムは、一つまたはそれ以上の基本サービスセット(Ｂａｓｉｃ Ｓｅｒｖｉｃｅ Ｓｅｔ；ＢＳＳ)を含む。ＢＳＳは、成功的に同期化を行って互いに通信することができるステーション(Ｓｔａｔｉｏｎ；ＳＴＡ)の集合であり、特定領域を意味するものではない。
【００２６】
インフラストラクチャ(ｉｎｆｒａｓｔｒｕｃｔｕｒｅ)ＢＳＳは、一つまたはそれ以上の非ＡＰステーション(ｎｏｎ−ＡＰ ｓｔａｔｉｏｎ(ＳＴＡ))、分散サービス(Ｄｉｓｔｒｉｂｕｔｉｏｎ Ｓｅｒｖｉｃｅ)を提供するＡＰ(Ａｃｃｅｓｓ Ｐｏｉｎｔ)１０及び複数のＡＰを連結させる分散システム(Ｄｉｓｔｒｉｂｕｔｉｏｎ Ｓｙｓｔｅｍ；ＤＳ)を含む。インフラストラクチャＢＳＳでは、ＡＰがＢＳＳの非ＡＰＳＴＡを管理する。
【００２７】
反面、独立ＢＳＳ(Ｉｎｄｅｐｅｎｄｅｎｔ ＢＳＳ；ＩＢＳＳ)は、アドホック(Ａｄ−Ｈｏｃ)モードに動作するＢＳＳである。ＩＢＳＳは、ＡＰを含まないため、中央で管理機能を遂行するエンティティ(Ｃｅｎｔｒａｌｉｚｅｄ Ｍａｎａｇｅｍｅｎｔ Ｅｎｔｉｔｙ)がない。即ち、ＩＢＳＳでは、非ＡＰＳＴＡが分散された方式(ｄｉｓｔｒｉｂｕｔｅｄ ｍａｎｎｅｒ)に管理される。ＩＢＳＳでは、全てのＳＴＡが移動ＳＴＡからなることができ、ＤＳへの接続が許容されないため自己完備的ネットワーク(ｓｅｌｆ−ｃｏｎｔａｉｎｅｄ ｎｅｔｗｏｒｋ)を構築する。
【００２８】
ＳＴＡは、ＩＥＥＥ(Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ)８０２.１１標準の規定に従う媒体接続制御(ＭｅｄｉｕｍＡｃｃｅｓｓＣｏｎｔｒｏｌ、ＭＡＣ)と無線媒体に対する物理層(ＰｈｙｓｉｃａｌＬａｙｅｒ)インターフェースを含む任意の機能媒体であり、広義ではＡＰと非ＡＰステーション(Ｎｏｎ−ＡＰ Ｓｔａｔｉｏｎ)の両方ともを含む。
【００２９】
非ＡＰ ＳＴＡは、ＡＰでないＳＴＡであり、移動端末(ｍｏｂｉｌｅ ｔｅｒｍｉｎａｌ)、無線機器(ｗｉｒｅｌｅｓｓ ｄｅｖｉｃｅ)、無線送受信ユニット(Ｗｉｒｅｌｅｓｓ Ｔｒａｎｓｍｉｔ/ＲｅｃｅｉｖｅＵｎｉｔ；ＷＴＲＵ)、ユーザ装備(Ｕｓｅｒ Ｅｑｕｉｐｍｅｎｔ；ＵＥ)、移動局(Ｍｏｂｉｌｅ Ｓｔａｔｉｏｎ；ＭＳ)、移動スクライバユニット(ＭｏｂｉｌｅＳｕｂｓｃｒｉｂｅｒ Ｕｎｉｔ)または単純にユーザなど、他の名称で呼ばれることもある。以下、説明の便宜のために、非ＡＰ ＳＴＡはＳＴＡと呼ぶ。
【００３０】
ＡＰは、該当ＡＰに結合された(Ａｓｓｏｃｉａｔｅｄ)ＳＴＡのために、無線媒体を経由してＤＳに対する接続を提供する機能エンティティである。ＡＰを含むインフラストラクチャＢＳＳでＳＴＡ間の通信はＡＰを経由して行われることが原則であるが、ダイレクトリンクが設定された場合にはＳＴＡ間でも直接通信が可能である。ＡＰは、集中制御器(ｃｅｎｔｒａｌ ｃｏｎｔｒｏｌｌｅｒ)、基地局(Ｂａｓｅ Ｓｔａｔｉｏｎ；ＢＳ)、ノード−Ｂ、ＢＴＳ(Ｂａｓｅ Ｔｒａｎｓｃｅｉｖｅｒ Ｓｙｓｔｅｍ)、またはサイト制御器などと呼ばれることもある。
【００３１】
図１に示すＢＳＳを含む複数のインフラストラクチャＢＳＳは、分散システム(Ｄｉｓｔｒｉｂｕｔｉｏｎ Ｓｙｓｔｅｍ；ＤＳ)を介して相互連結されることができる。ＤＳを介して連結された複数のＢＳＳを拡張サービスセット(Ｅｘｔｅｎｄｅｄ Ｓｅｒｖｉｃｅ Ｓｅｔ；ＥＳＳ)という。ＥＳＳに含まれるＡＰ及び/またはＳＴＡは互いに通信することができ、同じＥＳＳでＳＴＡはシームレス通信しつつ一つのＢＳＳから他のＢＳＳに移動することができる。
【００３２】
ＩＥＥＥ８０２.１１による無線ＬＡＮシステムで、ＭＡＣ(ＭｅｄｉｕｍＡｃｃｅｓｓ Ｃｏｎｔｒｏｌ)の基本接続メカニズムは、ＣＳＭＡ/ＣＡ(Ｃａｒｒｉｅｒ Ｓｅｎｓｅ Ｍｕｌｔｉｐｌｅ Ａｃｃｅｓｓ ｗｉｔｈ ＣｏｌｌｉｓｉｏｎＡｖｏｉｄａｎｃｅ)メカニズムである。ＣＳＭＡ/ＣＡメカニズムは、ＩＥＥＥ８０２.１１ＭＡＣの分配調整機能(Ｄｉｓｔｒｉｂｕｔｅｄ Ｃｏｏｒｄｉｎａｔｉｏｎ Ｆｕｎｃｔｉｏｎ；ＤＣＦ)と呼ばれることもあり、基本的に“ｌｉｓｔｅｎｂｅｆｏｒｅ ｔａｌｋ”接続メカニズムを採用している。このような類型の接続メカニズムによると、ＡＰ及び/またはＳＴＡは送信開始前に無線チャネルまたは媒体(ｍｅｄｉｕｍ)をセンシング(ｓｅｎｓｉｎｇ)する。センシング結果、媒体が休止状態(ｉｄｌｅ ｓｔａｔｕｓ)であると判断されると、該当媒体を介してフレーム送信を開始する。反面、媒体が占有状態(ｏｃｃｕｐｉｅｄ ｓｔａｔｕｓ)であると感知されると、該当ＡＰ及び/またはＳＴＡは、自分の送信を開始せずに媒体接近のための遅延期間を設定して待つ。
【００３３】
ＣＳＭＡ/ＣＡメカニズムは、ＡＰ及び/またはＳＴＡが媒体を直接センシングする物理的キャリアセンシング(ｐｈｙｓｉｃａｌｃａｒｒｉｅｒ ｓｅｎｓｉｎｇ)外に仮想キャリアセンシング(ｖｉｒｔｕａｌ ｃａｒｒｉｅｒ ｓｅｎｓｉｎｇ)も含む。仮想キャリアセンシングは、ヒドンノード問題(ｈｉｄｄｅｎ ｎｏｄｅ ｐｒｏｂｌｅｍ)などのように媒体接近上発生することができる問題を補完するためのことである。仮想キャリアセンシングのために、無線ＬＡＮシステムのＭＡＣは、ネットワーク割当ベクトル(Ｎｅｔｗｏｒｋ Ａｌｌｏｃａｔｉｏｎ Ｖｅｃｔｏｒ；ＮＡＶ)を利用する。ＮＡＶは、現在媒体を使用していたり、使用する権限のあるＡＰ及び/またはＳＴＡが、媒体が利用可能な状態になるまで残っている時間を他のＡＰ及び/またはＳＴＡに指示する値である。したがって、ＮＡＶで設定された値は、該当フレームを送信するＡＰ及び/またはＳＴＡによって媒体の使用が予定されている期間に該当する。
【００３４】
ＤＣＦと共に、ＩＥＥＥ８０２.１１ＭＡＣプロトコルは、ＤＣＦとポーリング(ｐｏｌｌｉｎｇ)ベースの同期式接続方式に全ての受信ＡＰ及び/またはＳＴＡがデータパケットを受信することができるように周期的にポーリングするＰＣＦ(Ｐｏｉｎｔ Ｃｏｏｒｄｉｎａｔｉｏｎ Ｆｕｎｃｔｉｏｎ)に基づくＨＣＦ(ＨｙｂｒｉｄＣｏｏｒｄｉｎａｔｉｏｎ Ｆｕｎｃｔｉｏｎ)を提供する。ＨＣＦは、提供子が多数のユーザにデータパケットを提供するための接続方式をコンテンションベースのＥＤＣＡ(Ｅｎｈａｎｃｅｄ Ｄｉｓｔｒｉｂｕｔｅｄ Ｃｈａｎｎｅｌ Ａｃｃｅｓｓ)とポーリング(ｐｏｌｌｉｎｇ)メカニズムを利用した非コンテンションベースのチャネル接近方式を使用するＨＣＣＡ(ＨＣＦ Ｃｏｎｔｒｏｌｌｅｄ Ｃｈａｎｎｅｌ Ａｃｃｅｓｓ)を有する。ＨＣＦは、ＷＬＡＮのＱｏＳ(Ｑｕａｌｉｔｙｏｆ Ｓｅｒｖｉｃｅ)を向上させるための媒体接近メカニズムを含み、コンテンション周期(Ｃｏｎｔｅｎｔｉｏｎ Ｐｅｒｉｏｄ；ＣＰ)と非コンテンション周期(ＣｏｎｔｅｎｔｉｏｎＦｒｅｅ Ｐｅｒｉｏｄ；ＣＦＰ)の両方ともでＱｏＳデータを送信することができる。
【００３５】
ＡＰ及び/またはＳＴＡは、媒体に接近しようとすることを知らせるために、ＲＴＳ(Ｒｅｑｕｅｓｔｔｏ Ｓｅｎｄ)フレーム及びＣＴＳ(Ｃｌｅａｒ ｔｏ Ｓｅｎｄ)フレームを交換する手順を実行することができる。ＲＴＳフレーム及びＣＴＳフレームは、実質的なデータフレーム送信及び受信確認応答(ａｃｋｎｏｗｌｅｄｇｅｍｅｎｔ)がサポートされる場合、受信確認フレーム(ａｃｋｎｏｗｌｅｄｇｅｍｅｎｔ ｆｒａｍｅ；ＡＣＫ ｆｒａｍｅ)の送受信に必要な無線媒体が接近予約された時間的な区間を指示する情報を含む。フレームを送信しようとするＡＰ及び/またはＳＴＡから送信されたＲＴＳフレームを受信したり、フレーム送信対象ＳＴＡから送信されたＣＴＳフレームを受信した他のＳＴＡは、ＲＴＳ/ＣＴＳフレームに含まれている情報が指示する時間的な区間中媒体に接近しないように設定されることができる。これは時間区間中ＮＡＶが設定されることによって具現されることができる。
【００３６】
図２は、ＩＥＥＥ８０２.１１によりサポートされる無線ＬＡＮシステムの物理階層アーキテクチャを示す。
【００３７】
ＩＥＥＥ８０２.１１の物理階層アーキテクチャ(ＰＨＹ ａｒｃｈｉｔｅｃｔｕｒｅ)は、ＰＬＭＥ(ＰＨＹ Ｌａｙｅｒ ＭａｎａｇｅｍｅｎｔＥｎｔｉｔｙ)、ＰＬＣＰ(Ｐｈｙｓｉｃａｌ Ｌａｙｅｒ Ｃｏｎｖｅｒｇｅｎｃｅ Ｐｒｏｃｅｄｕｒｅ)副階層２１０、ＰＭＤ(Ｐｈｙｓｉｃａｌ Ｍｅｄｉｕｍ Ｄｅｐｅｎｄｅｎｔ)副階層２００で構成される。ＰＬＭＥは、ＭＬＭＥ(ＭＡＣＬａｙｅｒ Ｍａｎａｇｅｍｅｎｔ Ｅｎｔｉｔｙ)と協調して物理階層の管理機能を提供する。ＰＬＣＰ副階層２１０は、ＭＡＣ副階層２２０とＰＭＤ副階層２００との間でＭＡＣ階層の指示によってＭＡＣ副階層２２０から受けたＭＰＤＵ(ＭＡＣＰｒｏｔｏｃｏｌ Ｄａｔａ Ｕｎｉｔ)をＰＭＤ副階層に伝達したり、ＰＭＤ副階層２００からくるフレームをＭＡＣ副階層２２０に伝達する。ＰＭＤ副階層２００は、ＰＬＣＰの下位階層であり、無線媒体を介した二つのステーション間物理階層エンティティ(ｅｎｔｉｔｙ)の送受信が可能にする。ＭＡＣ副階層２２０が伝達したＭＰＤＵは、ＰＬＣＰ副階層２１０でＰＳＤＵ(Ｐｈｙｓｉｃａｌ Ｓｅｒｖｉｃｅ ＤａｔａＵｎｉｔ) と呼ぶ。ＭＰＤＵは、ＰＳＤＵと類似するが、複数のＭＰＤＵをアグリゲーション(ａｇｇｒｅｇａｔｉｏｎ)したＡ−ＭＰＤＵ(ａｇｇｒｅｇａｔｅｄ ＭＰＤＵ)が伝達された場合には個々のＭＰＤＵとＰＳＤＵは互いに相違する。
【００３８】
ＰＬＣＰ副階層２１０は、ＰＳＤＵをＭＡＣ副階層２２０から受けてＰＭＤ副階層２００に伝達する過程で物理階層送受信機により必要な情報を含む付加フィールドを加える。この時、付加されるフィールドは、ＰＳＤＵにＰＬＣＰプリアンブル(ｐｒｅａｍｂｌｅ)、ＰＬＣＰヘッダ(ｈｅａｄｅｒ)、コンボリューションエンコーダをゼル状態(ｚｅｒｏ ｓｔａｔｅ)に返すときに必要なテールビット(Ｔａｉｌ Ｂｉｔｓ)などになる。ＰＬＣＰ副階層２１０は、ＰＰＤＵを生成して送信するときに必要な制御情報と、受信ＳＴＡがＰＰＤＵを受信して解釈するときに必要な制御情報と、を含むＴＸＶＥＣＴＯＲパラメータをＭＡＣ副階層から伝達を受ける。ＰＬＣＰ副階層２１０は、ＰＳＤＵを含むＰＰＤＵを生成するにあたってＴＸＶＥＣＴＯＲパラメータに含まれている情報を使用する。
【００３９】
ＰＬＣＰプリアンブルは、ＰＳＤＵの送信前に受信機に同期化機能とアンテナダイバーシティを準備するようにする役割をする。データフィールドは、ＰＳＤＵにパディングビット、スクランブラを初期化するためのビットシーケンスを含むサービスフィールド及びテールビットが加えたビットシーケンスがエンコーディングされたコード化シーケンス(ｃｏｄｅｄ ｓｅｑｕｅｎｃｅ)を含むことができる。この時、エンコーディング方式は、ＰＰＤＵを受信するＳＴＡでサポートされるエンコーディング方式によってＢＣＣ(Ｂｉｎａｒｙ Ｃｏｎｖｏｌｕｔｉｏｎａｌ Ｃｏｄｉｎｇ)エンコーディングまたはＬＤＰＣ(Ｌｏｗ Ｄｅｎｓｉｔｙ Ｐａｒｉｔｙ Ｃｈｅｃｋ)エンコーディングのうち一つで選択されることができる。ＰＬＣＰヘッダには送信するＰＰＤＵ(ＰＬＣＰ Ｐｒｏｔｏｃｏｌ Ｄａｔａ Ｕｎｉｔ)に対する情報を含むフィールドが含まれ、これは図３を参照して具体的に説明する。
【００４０】
ＰＬＣＰ副階層２１０では、ＰＳＤＵに前述したフィールドを付加してＰＰＤＵ(ＰＬＣＰ Ｐｒｏｔｏｃｏｌ Ｄａｔａ Ｕｎｉｔ)を生成し、ＰＭＤ副階層を経て受信ステーションに送信し、受信ステーションはＰＰＤＵを受信してＰＬＣＰプリアンブル、ＰＬＣＰヘッダからデータ復元に必要な情報を得て復元する。受信ステーションのＰＬＣＰ副階層は、ＰＬＣＰプリアンブル及びＰＬＣＰヘッダに含まれている制御情報を含むＲＸＶＥＣＴＯＲパラメータをＭＡＣ副階層に伝達することで、受信状態でＰＰＤＵを解釈してデータを取得することができるようにする。
【００４１】
既存無線ＬＡＮシステムと違って次世代無線ＬＡＮシステムではより高い処理率を要求する。これをＶＨＴ(Ｖｅｒｙ Ｈｉｇｈ Ｔｈｒｏｕｇｈｐｕｔ)といい、このために、次世代無線ＬＡＮシステムでは８０ＭＨｚ、連続的な１６０ＭＨｚ(ｃｏｎｔｉｇｕｏｕｓ １６０ＭＨｚ)、不連続的な１６０ＭＨｚ(ｎｏｎ−ｃｏｎｔｉｇｕｏｕｓ １６０ＭＨｚ)帯域幅送信及び/またはそれ以上の帯域幅送信をサポートしようとする。また、より高い処理率のためにＭＵ−ＭＩＭＯ(Ｍｕｌｔｉ Ｕｓｅｒ−Ｍｕｌｔｉｐｌｅ Ｉｎｐｕｔ Ｍｕｌｔｉｐｌｅ Ｏｕｔｐｕｔ)送信方法を提供する。次世代無線ＬＡＮシステムにおけるＡＰは、ＭＩＭＯペアリングされた少なくとも一つ以上のＳＴＡに同時にデータフレームを送信することができる。
【００４２】
図１のような無線ＬＡＮシステムにおけるＡＰ１０は、自分と結合(ａｓｓｏｃｉａｔｉｏｎ)されている複数のＳＴＡ２１、２２、２３、２４、３０のうち少なくとも一つ以上のＳＴＡを含むＳＴＡグループにデータを同時に送信することができる。図１では、ＡＰ１０がＳＴＡ２１、２２、２３、２４、３０にＭＵ−ＭＩＭＯ送信することを例示しているが、ＴＤＬＳ(Ｔｕｎｎｅｌｅｄ Ｄｉｒｅｃｔ Ｌｉｎｋ Ｓｅｔｕｐ)やＤＬＳ(Ｄｉｒｅｃｔ ＬｉｎｋＳｅｔｕｐ)、メッシュネットワーク(ｍｅｓｈ ｎｅｔｗｏｒｋ)をサポートする無線ＬＡＮシステムでは、データを送信しようとするＳＴＡがＭＵ−ＭＩＭＯ送信技法を使用してＰＰＤＵを複数のＳＴＡに送信することができる。以下、ＡＰが複数のＳＴＡにＭＵ−ＭＩＭＯ送信技法によってＰＰＤＵを送信することを例示して説明する。
【００４３】
各々のＳＴＡに送信されるデータは、互いに異なる空間ストリーム(ｓｐａｔｉａｌ ｓｔｒｅａｍ)を介して送信されることができる。ＡＰ１０の送信するデータフレームは、無線ＬＡＮシステムの物理階層(Ｐｈｙｓｉｃａｌ Ｌａｙｅｒ；ＰＨＹ)で生成されて送信されるＰＰＤＵと呼ばれることができる。本発明の例示で、ＡＰ１０とＭＵ−ＭＩＭＯペアリングされた送信対象ＳＴＡグループは、ＳＴＡ１(２１)、ＳＴＡ２(２２)、ＳＴＡ３(２３)及びＳＴＡ４(２４)と仮定する。この時、送信対象ＳＴＡグループの特定ＳＴＡには空間ストリームが割り当てられなくてデータが送信されないこともある。一方、ＳＴＡａ３０は、ＡＰと結合されているが、送信対象ＳＴＡグループには含まれないＳＴＡと仮定する。
【００４４】
無線ＬＡＮシステムにおいて、ＭＵ−ＭＩＭＯ送信をサポートするために、送信対象ＳＴＡグループに対して識別子が割り当てられることができ、これをグループ識別子(Ｇｒｏｕｐ ＩＤ)という。ＡＰは、ＭＵ−ＭＩＭＯ送信をサポートするＳＴＡにグループＩＤ割当のためにグループ定義情報(ｇｒｏｕｐ ｄｅｆｉｎｉｔｉｏｎ ｉｎｆｏｒｍａｔｉｏｎ)を含むグループＩＤ管理フレーム(Ｇｒｏｕｐ ＩＤ ｍａｎａｇｅｍｅｎｔ ｆｒａｍｅ)を送信し、これにより、グループＩＤはＰＰＤＵ送信以前にＳＴＡに割り当てられる。一つのＳＴＡは、複数個のグループＩＤの割当を受けることができる。
【００４５】
下記の表１は、グループＩＤ管理フレームに含まれている情報要素を示す。
【００４６】
【表１】
0005518264.tif 000002
【００４７】
カテゴリフィールド及びＶＨＴアクションフィールドは、該当フレームが管理フレームに該当し、ＭＵ−ＭＩＭＯをサポートする次世代無線ＬＡＮシステムで使われるグループＩＤ管理フレームであることを識別することができるように設定される。
【００４８】
表１のように、グループ定義情報は、特定グループＩＤに属しているかどうかを指示するメンバシップ状態情報と、 該当グループＩＤに属する場合、該当ＳＴＡの空間ストリームセットがＭＵ−ＭＩＭＯ送信による全体空間ストリームで何番目の位置に該当するかを指示する空間ストリーム位置情報を含む。
【００４９】
一つのＡＰが管理するグループＩＤは、複数個であるため、一つのＳＴＡに提供されるメンバシップ状態情報はＡＰにより管理されるグループＩＤの各々にＳＴＡが属しているかどうかを指示する必要がある。したがって、メンバシップ状態情報は、各グループＩＤに属しているかどうかを指示するサブフィールドのアレイ(ａｒｒａｙ)形態に存在することができる。空間ストリーム位置情報は、グループＩＤの各々に対する位置を指示するため、各グループＩＤに対してＳＴＡが占める空間ストリームセットの位置を指示するサブフィールドのアレイ形態に存在することができる。また、一つのグループＩＤに対するメンバシップ状態情報と空間ストリーム位置情報は、一つのサブフィールド内で具現が可能である。
【００５０】
ＡＰは、ＭＵ−ＭＩＭＯ送信技法を介してＰＰＤＵを複数のＳＴＡに送信する場合、ＰＰＤＵ内にグループＩＤを指示する情報を制御情報として含んで送信する。ＳＴＡがＰＰＤＵ受信すると、ＳＴＡはグループＩＤフィールドを確認して自分が送信対象ＳＴＡグループのメンバＳＴＡであるかどうかを確認する。自分が送信対象ＳＴＡグループのメンバと確認される場合、自分に送信される空間ストリームセットが全体空間ストリームのうち何番目に位置するかを確認することができる。ＰＰＤＵは受信ＳＴＡに割り当てられた空間ストリームの個数情報を含むため、ＳＴＡは自分に割り当てられた空間ストリームを探してデータを受信することができる。
【００５１】
図３は、無線ＬＡＮシステムで使われるＰＰＤＵフォーマットの一例を示す。
【００５２】
図３を参照すると、ＰＰＤＵ３００は、Ｌ−ＳＴＦ３１０、Ｌ−ＬＴＦ３２０、Ｌ−ＳＩＧフィールド３３０、ＶＨＴ−ＳＩＧ Ａフィールド３４０、ＶＨＴ−ＳＴＦ３５０、ＶＨＴ−ＬＴＦ３６０、ＶＨＴ−ＳＩＧ Ｂフィールド３７０及びデータフィールド３８０を含むことができる。
【００５３】
ＰＨＹを構成するＰＬＣＰ副階層は、ＭＡＣ階層から伝達を受けたＰＳＤＵに必要な情報を加えてデータフィールド３８０に変換し、Ｌ−ＳＴＦ３１０、Ｌ−ＬＴＦ３２０、Ｌ−ＳＩＧフィールド３３０、ＶＨＴ−ＳＩＧＡフィールド３４０、ＶＨＴ−ＳＴＦ３５０、ＶＨＴ−ＬＴＦ３６０、ＶＨＴ−ＳＩＧ Ｂ３７０などのフィールドを加えてＰＰＤＵ３００を生成し、ＰＨＹを構成するＰＭＤ副階層を介して一つまたはそれ以上のＳＴＡに送信する。ＰＬＣＰ副階層がＰＰＤＵを生成する時に必要な制御情報とＰＰＤＵに含ませて送信し、受信ＳＴＡがＰＰＤＵを解釈する時に使われる制御情報は、ＭＡＣ階層から伝達を受けたＴＸＶＥＣＴＯＲパラメータから提供される。
【００５４】
Ｌ−ＳＴＦ３１０は、フレームタイミング取得(ｆｒａｍｅ ｔｉｍｉｎｇ ａｃｑｕｉｓｉｔｉｏｎ)、ＡＧＣ(ＡｕｔｏｍａｔｉｃＧａｉｎ Ｃｏｎｔｒｏｌ)コンバージェンス(ｃｏｎｖｅｒｇｅｎｃｅ)、粗い(ｃｏａｒｓｅ)周波数取得などに使われる。
【００５５】
Ｌ−ＬＴＦ３２０は、Ｌ−ＳＩＧフィールド３３０及びＶＨＴ−ＳＩＧ Ａフィールド３４０の復調のためのチャネル推定に使用する。
【００５６】
Ｌ−ＳＩＧフィールド３３０は、Ｌ−ＳＴＡがＰＰＤＵ３００を受信し、これを解釈してデータを取得する時に使われる。Ｌ−ＳＩＧフィールド３３０は、レート(ｒａｔｅ)サブフィールド、長さ(ｌｅｎｇｔｈ)サブフィールド、パリティビット及びテール(ｔａｉｌ)フィールドを含む。レートサブフィールドは、現在送信されるデータに対するビットレート(ｂｉｔｒａｔｅ)を指示する値で設定される。
【００５７】
長さサブフィールドは、ＭＡＣ階層がＰＨＹ階層に送信することを要求するＰＳＤＵのオクテット長さを指示する値で設定される。この時、ＰＳＤＵのオクテット長さの情報と関連したパラメータであるＬ_ＬＥＮＧＴＨパラメータは、送信時間と関連したパラメータであるＴＸＴＩＭＥパラメータに基づいて決定される。ＴＸＴＩＭＥは、ＭＡＣ階層がＰＳＤＵ(ｐｈｙｓｉｃａｌ ｓｅｒｖｉｃｅ ｄａｔａ ｕｎｉｔ)の送信のために要求した送信時間に対応し、ＰＨＹ階層がＰＳＤＵを含むＰＰＤＵ送信のために決定した送信時間を意味する。したがって、Ｌ_ＬＥＮＧＴＨパラメータは、時間と関連したパラメータであるため、Ｌ−ＳＩＧフィールド３３０に含まれている長さサブフィールドは、送信時間と関連した情報を含むようになる。
【００５８】
ＶＨＴ−ＳＩＧ Ａフィールド３４０は、ＰＰＤＵを受信するＳＴＡがＰＰＤＵ３００を解釈するために必要な制御情報(ｃｏｎｔｒｏｌ ｉｎｆｏｒｍａｔｉｏｎ、またはシグナル情報(ｓｉｇｎａｌ ｉｎｆｏｒｍａｔｉｏｎ))を含んでいる。ＶＨＴ−ＳＩＧＡフィールド３４０は、二つのＯＦＤＭシンボルを介して送信される。これにより、ＶＨＴ−ＳＩＧ Ａフィールド３４０は、ＶＨＴ−ＳＩＧ Ａ１フィールド及びＶＨＴ−ＳＩＧ Ａ２フィールドに分けられることができる。ＶＨＴ−ＳＩＧ Ａ１フィールドは、ＰＰＤＵ送信のために使われるチャネル帯域幅情報、ＳＴＢＣ(Ｓｐａｃｅ Ｔｉｍｅ Ｂｌｏｃｋ Ｃｏｄｉｎｇ)を使用するかどうかと関連した指示情報、ＳＵまたはＭＵ−ＭＩＭＯのうちＰＰＤＵが送信される方式を指示する情報、送信方法がＭＵ−ＭＩＭＯの場合にＡＰとＭＵ−ＭＩＭＯペアリングされた複数のＳＴＡである送信対象ＳＴＡグループを指示する情報及び前記送信対象ＳＴＡグループに含まれている各々のＳＴＡに割り当てられた空間ストリームに対する情報を含む。ＶＨＴ−ＳＩＧ Ａ２フィールドは、短いＧＩ(ｓｈｏｒｔ Ｇｕａｒｄ Ｉｎｔｅｒｖａｌ)関連情報を含む。
【００５９】
ＭＩＭＯ送信方式を指示する情報及び送信対象ＳＴＡグループを指示する情報は、一つのＭＩＭＯ指示情報で具現されることができ、その一例としてグループＩＤで具現されることができる。グループＩＤは、特定範囲を有する値で設定されることができ、範囲内の特定値はＳＵ−ＭＩＭＯ送信技法を指示し、その以外の値はＭＵ−ＭＩＭＯ送信技法によりＰＰＤＵ３００が送信される場合、該当送信対象ＳＴＡグループに対する識別子として使われることができる。
【００６０】
グループＩＤは、該当ＰＰＤＵ３００がＳＵ−ＭＩＭＯ送信技法を介して送信されることを指示すると、ＶＨＴ−ＳＩＧ Ａ２フィールドは、データフィールドに適用されたコーディング技法がＢＣＣ(Ｂｉｎａｒｙ Ｃｏｎｖｏｌｕｔｉｏｎ Ｃｏｄｉｎｇ)か、ＬＤＰＣ(Ｌｏｗ ＤｅｎｓｉｔｙＰａｒｉｔｙ Ｃｈｅｃｋ)コーディングか、を指示するコーディング指示情報と、送信機−受信機間チャネルに対するＭＣＳ(ｍｏｄｕｌａｔｉｏｎ ｃｏｄｉｎｇ ｓｃｈｅｍｅ)情報を含む。また、ＶＨＴ−ＳＩＧＡ２フィールドは、ＰＰＤＵの送信対象ＳＴＡのＡＩＤ及び/または前記ＡＩＤの一部ビットシーケンスを含む部分ＡＩＤ(ｐａｒｔｉａｌ ＡＩＤ)を含むことができる。
【００６１】
グループＩＤは、該当ＰＰＤＵ３００がＭＵ−ＭＩＭＯ送信技法を介して送信されることを指示すると、ＶＨＴ−ＳＩＧ Ａフィールド３００は、ＭＵ−ＭＩＭＯペアリングされた受信ＳＴＡに送信が意図されるデータフィールドに適用されたコーディング技法がＢＣＣか、ＬＤＰＣコーディングか、を指示するコーディング指示情報が含まれる。この場合、各受信ＳＴＡに対するＭＣＳ(ｍｏｄｕｌａｔｉｏｎ ｃｏｄｉｎｇ ｓｃｈｅｍｅ)情報は、ＶＨＴ−ＳＩＧ Ｂフィールド３７０に含まれることができる。
【００６２】
ＶＨＴ−ＳＴＦ３５０は、ＭＩＭＯ送信においてＡＧＣ推定の性能を改善するために使われる。
【００６３】
ＶＨＴ−ＬＴＦ３６０は、ＳＴＡがＭＩＭＯチャネルを推定する時に使われる。次世代無線ＬＡＮシステムは、ＭＵ−ＭＩＭＯをサポートするため、ＶＨＴ−ＬＴＦ３６０は、ＰＰＤＵ３００が送信される空間ストリームの個数ほど設定されることができる。追加的に、フルチャネルサウンディング(ｆｕｌｌ ｃｈａｎｎｅｌ ｓｏｕｎｄｉｎｇ)がサポートされ、これが実行される場合、ＶＨＴ ＬＴＦの数はより多くなることができる。
【００６４】
ＶＨＴ−ＳＩＧ Ｂフィールド３７０は、ＭＩＭＯペアリングされた複数のＳＴＡがＰＰＤＵ３００を受信してデータを取得する時に必要な専用制御情報を含む。したがって、ＶＨＴ−ＳＩＧ Ｂフィールド３７０に含まれている共用制御情報が、現在受信されたＰＰＤＵ３００はＭＵ−ＭＩＭＯ送信されたものであると指示した場合にのみ、ＳＴＡは、ＶＨＴ−ＳＩＧ Ｂフィールド３７０をデコーディング(ｄｅｃｏｄｉｎｇ)するように設計されることができる。反対に、共用制御情報が、現在受信されたＰＰＤＵ３００は単一ＳＴＡのためのもの(ＳＵ−ＭＩＭＯを含む)であると指示する場合、ＳＴＡは、ＶＨＴ−ＳＩＧ Ｂフィールド３７０をデコーディングしないように設計されることができる。
【００６５】
ＶＨＴ−ＳＩＧ Ｂフィールド３７０は、各ＳＴＡに対するＭＣＳ(ｍｏｄｕｌａｔｉｏｎ ａｎｄ ｃｏｄｉｎｇ ｓｃｈｅｍｅ)に対する情報及びレートマッチング(ｒａｔｅ−ｍａｔｃｈｉｎｇ)に対する情報を含む。また、各ＳＴＡのためのデータフィールドに含まれているＰＳＤＵ長さを指示する情報を含む。ＰＳＤＵの長さを指示する情報は、ＰＳＤＵのビットシーケンスの長さを指示する情報であり、オクテット単位に指示することができる。ＶＨＴ−ＳＩＧ Ｂフィールド３７０の大きさは、ＭＩＭＯ送信の類型(ＭＵ−ＭＩＭＯまたはＳＵ−ＭＩＭＯ)及びＰＰＤＵ送信のために使用するチャネル帯域幅によって異なる。
【００６６】
データフィールド３８０は、ＳＴＡに送信が意図されるデータを含む。データフィールド３８０は、ＭＡＣ階層でのＭＰＤＵ(ＭＡＣ Ｐｒｏｔｏｃｏｌ Ｄａｔａ Ｕｎｉｔ)が伝達されたＰＳＤＵ(ＰＬＣＰ Ｓｅｒｖｉｃｅ Ｄａｔａ Ｕｎｉｔ)とスクランブラを初期化するためのサービス(ｓｅｒｖｉｃｅ)フィールド、コンボリューション(ｃｏｎｖｏｌｕｔｉｏｎ)エンコーダをゼロ状態(ｚｅｒｏ ｓｔａｔｅ)に返す時に必要なビットシーケンスを含むテール(ｔａｉｌ)フィールド及びデータフィールドの長さを規格化するためのパディングビットを含む。
【００６７】
図１のような無線ＬＡＮシステムで、ＡＰ１０がＳＴＡ１(２１)、ＳＴＡ２(２２)及びＳＴＡ３(２３)にデータを送信しようとする場合、ＳＴＡ１(２１)、ＳＴＡ２(２２)、ＳＴＡ３(２３)及びＳＴＡ４(２４)を含むＳＴＡグループにＰＰＤＵを送信することができる。この場合、図２のようにＳＴＡ４(２４)に割り当てられた空間ストリームはないように割り当てることができ、ＳＴＡ１(２１)、ＳＴＡ２(２２)及びＳＴＡ３(２３)の各々に特定個数の空間ストリームを割り当て、これにより、データを送信することができる。図２のような例示において、ＳＴＡ１(２１)には１個の空間ストリーム、ＳＴＡ２(２２)には３個の空間ストリーム、ＳＴＡ３(２３)には２個の空間ストリームが割り当てられていることが分かる。
【００６８】
次世代無線ＬＡＮシステムの最も大きい特徴のうち一つは、多重アンテナを利用して複数個の空間ストリームを複数のＳＴＡに送信するＭＵ−ＭＩＭＯ送信技法をサポートすることである。これはシステム全般の処理率(ｔｈｒｏｕｇｈｐｕｔ)を向上させることができる。複数のＳＴＡが存在する環境でデータ送信をしようとするＡＰは、送信対象ＳＴＡグループにデータを送信するために、ビーム形成手順によってＰＰＤＵを送信する。したがって、ＭＵ−ＭＩＭＯ送信技法を使用してＰＰＤＵを送信しようとするＡＰ及び/またはＳＴＡは、送信対象ＳＴＡの各々に対するチャネル情報を必要とするため、チャネル情報取得のために、チャネルサウンディングの実行が要求される。
【００６９】
ＭＵ−ＭＩＭＯのためのチャネルサウンディングは、ビームを形成してＰＰＤＵを送信しようとする送信機(ｔｒａｎｓｍｉｔｔｅｒ)によって開始されることができる。送信機はビームフォーマ(ｂｅａｍｆｏｒｍｅｒ)、受信機(ｒｅｃｅｉｖｅｒ)はビーム受信機(ｂｅａｍｆｏｒｍｅｅ)と表現されることができる。ＤＬ ＭＵ−ＭＩＭＯをサポートする無線ＬＡＮシステムでは、ＡＰが送信機、ビームフォーマの地位を有し、ＡＰによりチャネルサウンディングが開始される。ＳＴＡは、受信機、ビーム受信機の地位を有し、ＡＰにより開始されたチャネルサウンディングによって、チャネルを推定し、これを報告する。以下、詳細なチャネルサウンディング方法を説明するにあたってＤＬ ＭＵ−ＭＩＭＯ送信時チャネルサウンディングを仮定する。ただし、以下で詳細に説明されるチャネルサウンディング方法は、一般的なＭＵ−ＭＩＭＯ送信をサポートする無線通信システムに適用されることができる。
【００７０】
次世代無線ＬＡＮシステムにおいて、チャネルサウンディングは、ＮＤＰ(Ｎｕｌｌ Ｄａｔａ Ｐａｃｋｅｔ)に基づいて実行される。ＮＤＰは、データフィールドが除外されたＰＰＤＵフォーマットを有する。ＳＴＡは、ＮＤＰに基づいてチャネル推定を実行し、推定の結果であるチャネル状態情報をＡＰにフィードバックする。ＮＤＰは、サウンディングフレーム(ｓｏｕｎｄｉｎｇ ｆｒａｍｅ)と表現されることができる。図４を参照してＮＤＰベースのチャネルサウンディングに対して説明するようにする。
【００７１】
図４は、次世代無線ＬＡＮシステムでＮＤＰを利用したチャネルサウンディング方法を示す。本例示において、ＡＰは、３個の送信対象ＳＴＡにデータを送信するために、３個の送信対象ＳＴＡに対してチャネルサウンディングを実行する。ただし、ＡＰは、一つのＳＴＡに対してチャネルサウンディングを実行することもできる。
【００７２】
図４を参照すると、ＡＰ４１０は、ＳＴＡ１(４２１)、ＳＴＡ２(４２２)、ＳＴＡ３(４２３)にＮＤＰＡフレームを送信する(Ｓ４１０)。ＮＤＰＡ(ＮＤＰ ａｎｎｏｕｎｃｅｍｅｎｔ)フレームは、チャネルサウンディングが開始され、ＮＤＰが送信されると知らせる。ＮＤＰＡフレームは、サウンディング通報フレーム(ｓｏｕｎｄｉｎｇ ａｎｎｏｕｎｃｅｍｅｎｔ ｆｒａｍｅ)と呼ばれることもある。
【００７３】
ＮＤＰＡフレームは、チャネルを推定し、チャネル状態情報を含むフィードバックフレームをＡＰに送信するＳＴＡを識別するための情報を含む。即ち、ＳＴＡは、ＮＤＰＡフレームの受信を介してチャネルサウンディングに参加するＳＴＡかどうかを決定する。これにより、ＡＰ４１０は、サウンディング対象ＳＴＡに対する情報を含むＳＴＡ情報フィールドをＮＤＰＡフレームに含ませて送信する。ＳＴＡ情報フィールドは、サウンディング対象ＳＴＡ毎に一つずつ含まれることができる。
【００７４】
次に送信されるＮＤＰに対応してフィードバックフレームを送信するＳＴＡを識別するための情報を知らせるためである。
【００７５】
ＭＵ−ＭＩＭＯチャネルサウンディングのために、少なくとも一つ以上の対象ＳＴＡにＮＤＰＡフレームを送信する場合、ＡＰ４１０は、ＮＤＰＡフレームをブロードキャスティングする。反面、ＳＵ−ＭＩＭＯチャネルサウンディングのために、一つの対象ＳＴＡにＮＤＰＡフレームを送信する場合、ＡＰ４１０は、ＮＤＰＡフレームの受信機住所情報を該当対象ＳＴＡのＭＡＣ住所として設定し、ユニキャスト(ｕｎｉｃａｓｔ)で送信することができる。
【００７６】
下記の表２は、ＮＤＰＡフレームに含まれるＳＴＡ情報フィールドフォーマットの一例を示す。
【００７７】
【表２】
0005518264.tif 000003
【００７８】
前記表１において、Ｎｃは、ＮＤＰを受信し、これに対する応答としてサウンディング対象ＳＴＡがＡＰに送信するフィードバック情報のうちビーム形成フィードバック行列(ｂｅａｍｆｏｒｍｉｎｇ ｆｅｅｄｂａｃｋ ｍａｔｒｉｃｅｓ)の列(ｃｏｌｕｍｎ)個数を指示する。
【００７９】
ＮＤＰＡフレームを受信したＳＴＡは、ＳＴＡ情報フィールドに含まれているＡＩＤサブフィールド値を確認し、自分がサウンディング対象ＳＴＡかどうかを確認することができる。図４のような実施例において、ＮＤＰＡフレームには、ＳＴＡ１(４２１)のＡＩＤを含むＳＴＡ情報フィールド、ＳＴＡ２(４２２)のＡＩＤを含むＳＴＡ情報フィールド及びＳＴＡ３(４２３)のＡＩＤを含むＳＴＡ情報フィールドが含まれることができる。
【００８０】
ＡＰ４１０は、ＮＤＰＡフレーム送信後にＮＤＰを対象ＳＴＡに送信する(Ｓ４２０)。ＮＤＰは、図３のようなＰＰＤＵフォーマットでデータフィールドが省略されたフォーマットを有することができる。ＮＤＰフレームは、ＡＰ４１０によって特定プレコーディング行列(ｐｒｅｃｏｄｉｎｇ ｍａｔｒｉｘ)に基づいてプレコーディング(ｐｒｅｃｏｄｉｎｇ)され、サウンディング対象ＳＴＡに送信される。したがって、サウンディング対象ＳＴＡ４２１、４２２、４２３は、ＮＤＰのＶＨＴ−ＬＴＦに基づいてチャネルを推定し、チャネル状態情報を取得する。
【００８１】
ＮＤＰ送信時、ＮＤＰに含まれている制御情報として、データフィールドに含まれているＰＳＤＵ長さ、または前記ＰＳＤＵに含まれているＡ−ＭＰＤＵ(Ａｇｇｒｅｇａｔｅ−ＭＡＣ ｐｒｏｔｏｃｏｌ ｄａｔａ ｕｎｉｔ)の長さを指示する長さ情報は、０に設定され、ＮＤＰの送信対象ＳＴＡの数を指示する情報は、１に設定される。ＮＤＰ送信のために使われた送信技法がＭＵ−ＭＩＭＯかＳＵ−ＭＩＭＯかを指示し、送信対象ＳＴＡグループを指示するグループＩＤは、ＳＵ−ＭＩＭＯ送信を指示する値で設定される。送信対象ＳＴＡに割り当てられる空間ストリーム個数を指示する情報は、ＭＵ−ＭＩＭＯまたはＳＵ−ＭＩＭＯを介して送信対象ＳＴＡに送信される空間ストリームの個数を指示するように設定される。ＮＤＰ送信のために使われるチャネル帯域幅情報は、ＮＤＰＡフレーム送信のために使われた帯域幅値で設定されることができる。
【００８２】
ＳＴＡ１(４２１)は、フィードバックフレームをＡＰ４１０に送信する(Ｓ４３１)。フィードバックフレーム送信に使われるチャネル帯域幅情報は、ＮＤＰＡフレーム送信のために使われたチャネル帯域幅より狭い、または同じに設定されることができる。
【００８３】
ＡＰ４１０は、ＳＴＡ１(４２１)からフィードバックフレームを受信した後、フィードバックポールフレーム(ｆｅｅｄｂａｃｋ ｐｏｌｌ ｆｒａｍｅ)をＳＴＡ２(４２２)に送信する(Ｓ４４１)。フィードバックポールフレームは、受信ＳＴＡがフィードバックフレーム送信を要求するためのフレームである。フィードバックポールフレームは、フィードバックフレーム送信を要求するＳＴＡにユニキャスト方式に送信される。フィードバックポールフレームを受信したＳＴＡ２(４２２)は、ＡＰ４１０にフィードバックフレームを送信する(Ｓ４３２)。その後、ＡＰ４１０は、ＳＴＡ３(４２３)にフィードバックポールフレームを送信し(Ｓ４４２)、ＳＴＡ３(４２３)は、フィードバックポールフレームに対応してフィードバックフレームをＡＰ４１０に送信する(Ｓ４３３)。
【００８４】
無線ＬＡＮシステムでデータを送信するチャネル帯域幅は多様である。多様な帯域幅に対してチャネルを推定するために多様な帯域幅に対するチャネル情報をフィードバックすることができる。次世代無線ＬＡＮシステムでは、２０ＭＨｚ、４０ＭＨｚ、８０ＭＨｚ、連続的な１６０ＭＨｚ(ｃｏｎｔｉｇｕｏｕｓ １６０Ｍｈｚ)及び不連続的な１６０(８０＋８０)ＭＨｚ(ｎｏｎｃｏｎｔｉｇｕｏｕｓ １６０Ｍｈｚ)帯域幅をサポートする。したがって、各帯域幅に対するチャネル情報をフィードバックするため、チャネルフィードバック情報が多くなることができる。
【００８５】
本発明において、ＳＴＡにより実行されるチャネル推定によるチャネル状態情報は、ＳＴＡがＡＰに送信するフィードバックフレームに含まれて送信される。フィードバックフレームのチャネル状態情報は、チャネル情報フィールド及びチャネル情報制御フィールドで具現されることができる。下記の表３及び表４は、チャネル情報制御フィールド及びチャネル情報フィールドのフォーマットを示す。
【００８６】
【表３】
0005518264.tif 000004
【００８７】
【表４】
0005518264.tif 000005
【００８８】
表４に記載されたチャネル情報フィールドの情報は、表３に記載されたチャネル制御フィールドに含まれている情報に基づいて解釈されることができる。
【００８９】
一方、ＭＵ−ＭＩＭＯがサポートされる無線ＬＡＮシステムで、ＮＤＰベースのチャネルサウンディングが開始された時、サウンディング対象ＳＴＡがＮＤＰを正常に受信することができない場合が発生することができる。この場合、ＳＴＡは、ＮＤＰに基づいて正常にチャネルサウンディングを実行することができなくてチャネル状態情報を含むフィードバックフレームをＡＰに送信することができない。この場合、ＡＰは、チャネルサウンディングを新たに開始するようになる。
【００９０】
前記のようなチャネルサウンディングを再開始することは、ＭＵ−ＭＩＭＯのためのチャネルサウンディングで問題を引き起こすことができる。複数のサウンディング対象ＳＴＡを対象にするチャネルサウンディングでは、一つのＳＴＡによるチャネルサウンディングが正常に実行されない場合、別途の全体チャネルサウンディングが再開始されるため、非効率性が問題になる。以下、ＮＤＰの送受信で発生する問題によるチャネルサウンディングの非効率性を改善することができるチャネルサウンディング方法を提案する。
【００９１】
ＡＰがチャネルサウンディングを実行中、信号のフェーディング(ｆａｄｉｎｇ)や干渉信号など、多くの要因により無線チャネル環境が変わることができる。これにより、ＳＴＡは、自分がサウンディング対象ＳＴＡであることを指示する情報を含むＮＤＰＡフレームを受信したが、その後に送信されるＮＤＰを正常に受信することができないこともある。ＮＤＰが正常に受信されたかどうかは、Ｌ−ＳＩＧフィールドやＶＨＴ−ＳＩＧ ＡフィールドのＣＲＣを介して判断されたり、ＮＤＰのＶＨＴ−ＳＩＧ Ｂフィールドに使われる約束された特定ビットシーケンスが正常に受信されたかどうかにより判断されることができる。ＳＴＡは、ＮＤＰに対する無線信号を正常に受信したが、ＮＤＰの復調に失敗することもできる。このような場合、各ＳＴＡに割り当てられた空間ストリームの個数や帯域幅関連情報を取得することができないため、チャネルを推定することができず、チャネル状態情報を取得することができない。
【００９２】
前記のような理由によって、ＳＴＡがＡＰにフィードバックするチャネル状態情報を有していない場合、既存に何らのフレームも送信しなかったことと違って、これに対する事実を知らせるために別途のフレームを送信する方法を提案する。ＡＰが期待するタイミングにフィードバックフレームを受信することができない場合、ＡＰは、新たなチャネルサウンディングを開始するためにＮＤＰＡフレームを送信する。
【００９３】
もし、ＡＰにチャネル状態情報をフィードバックすることができないＳＴＡがＮＤＰＡフレームによって初めてＡＰにフィードバックするＳＴＡと指示された場合、ＡＰは、新たなチャネルサウンディングを開始するためにＮＤＰＡフレームを送信するようになる。この場合、他のＳＴＡがチャネルを推定して取得したチャネル状態情報は廃棄されるため、非効率性が一層増加するようになる。したがって、残りのチャネルサウンディング手順が進行されることができるように、ＳＴＡは、チャネル状態情報を含まないナルフィードバックフレーム(ｎｕｌｌ ｆｅｅｄｂａｃｋ ｆｒａｍｅ)を送信することができる。図５を参照して詳細に説明する。
【００９４】
図５は、本発明の実施例に係るチャネルサウンディング方法を示す。
【００９５】
図５を参照すると、ＡＰ５１０は、ＮＤＰＡフレームを送信し(Ｓ５１０)、その後、ＮＤＰを送信する(Ｓ５２０)。Ｓ５１０及びＳ５２０ステップは、前述した図４のＳ４１０及びＳ４２０と同様であるため、詳細な説明は省略する。
【００９６】
ＳＴＡ１(５２１)は、ＮＤＰを正常に受信することができなかったと仮定する。ＳＴＡ１(５２１)は、チャネル推定を介してチャネル状態情報を取得することができない。したがって、チャネル状態情報が含まれないナルフィードバックフレームをＡＰ５１０に送信する(Ｓ５３０)。
【００９７】
ＳＴＡ１(５２１)は、ＮＤＰを正常に受信することができなかったため、ナルフィードバックフレームの送信に必要な情報を取得することができないこともある。したがって、ＳＴＡがＮＤＰを正常に受信することができなくても、ナルフィードバックフレーム送信に必要な情報を取得するために、ＮＤＰの先に送信されたＮＤＰＡフレームを参照する方式を提案する。ＳＴＡ１(５２１)は、ＮＤＰＡフレームを受信して取得した情報に基づいてナルフィードバックフレーム送信に必要な情報を取得することができる。
【００９８】
ＳＴＡ１(５２１)がＮＤＰを正常に受信することができない一例として、ＮＤＰに含まれているＶＨＴ−ＳＩＧＡフィールドをデコーディングすることができないこともある。ＳＴＡ１(５２１)は、チャネル帯域幅情報及び割り当てられた空間ストリーム個数情報が分からない。一方、ＳＴＡ１(５２１)は、ＮＤＰのＬ−ＳＩＧフィールドの長さ情報を介してＮＤＰの総長さを類推することができる。これにより、ＡＰによるＮＤＰ送信が終わった時点からＳＩＦＳ以後時点がフィードバックフレーム送信時点であることが分かる。これはフィードバックポール(ｆｅｅｄｂａｃｋ ｐｏｌｌ)によりフィードバックフレームを送信する時点が決定される、ＳＴＡ２(５２２)及びＳＴＡ３(５２３)のような、後順位フィードバックＳＴＡのフィードバック時点と異なる特徴である。
【００９９】
ＮＤＰを送信する時に使われるチャネル帯域幅は、ＮＤＰＡフレームの送信のために使われるチャネル帯域幅と同じである。したがって、ＮＤＰ以前に送信されたＮＤＰＡフレーム受信を介して取得した情報パラメータであるＲＸＶＥＣＴＯＲのＣＨ_ＢＡＮＤＷＩＤＴＨパラメータを介してナルフィードバックフレーム送信のための帯域幅が決定されることができる。ＳＴＡ１(５２１)は、ナルフィードバックフレーム送信のための帯域幅を決定し、これにより、送信情報パラメータであるＴＸＶＥＣＴＯＲのＣＨ_ＢＡＮＤＷＩＤＴＨパラメータを設定することができる。
【０１００】
前記のように、ＳＴＡ１(５２１)は、ＮＤＰを正常に受信することができなくてもナルフィードバックフレームの送信タイミングとＣＨ_ＢＡＮＤＷＩＤＴＨパラメータを決定することができるため、ナルフィードバックフレームを送信することができる。
【０１０１】
ＡＰ５１０は、ＳＴＡ１(５２１)から、チャネル状態情報はないが、ナルフィードバックフレームを受信するため、新たなチャネルサウンディングを開始せずに、ＳＴＡ２(５２２)及びＳＴＡ３(５２３)と残りのチャネルサウンディングを進行する。
【０１０２】
ＡＰ５１０は、ＳＴＡ１(５２１)からフィードバックフレームを受信した後、フィードバックポールフレームをＳＴＡ２(５２２)に送信する(Ｓ５４１)。フィードバックポールフレームは、受信ＳＴＡがフィードバックフレーム送信を要求するためのフレームである。フィードバックポールフレームは、フィードバックフレーム送信を要求するＳＴＡにユニキャスト方式に送信される。フィードバックポールフレームを受信したＳＴＡ２(５２２)は、ＡＰ５１０にフィードバックフレームを送信する(Ｓ５５１)。その後、ＡＰ５１０は、ＳＴＡ３(５２３)にフィードバックポールフレームを送信し(Ｓ５４２)、ＳＴＡ３(５２３)は、フィードバックポールフレームに対応してフィードバックフレームをＡＰ５１０に送信する(Ｓ５５２)。
【０１０３】
追加的に、ＡＰ５１０は、ＳＴＡ１(５２１)からフィードバックフレームを受信することができない場合、選択的に残りのＳＴＡのチャネル状態情報フィードバック要求または新たなチャネルサウンディング手順開始を実行するように設定されることができる。
【０１０４】
一方、ＩＥＥＥ８０２.１１標準による無線ＬＡＮで、フレームは、データフレーム、制御フレーム(ｃｏｎｔｒｏｌｆｒａｍｅ)及び管理フレーム(ｍａｎａｇｅｍｅｎｔ ｆｒａｍｅ)のように三つに分けられることができる。一般的に、特定受信されたフレームに対する応答として制御フレームを送信する時には、受信された制御フレームがスパン(ｓｐａｎ)している帯域幅と同じ帯域幅をスパンして送信する。
【０１０５】
ＩＳＭ(Ｉｎｄｕｓｔｒｉａｌ、Ｓｃｉｅｎｔｉｆｉｃａｎｄ Ｍｅｄｉｃａｌ)バンドを機会的に使用するシステムで、送信機側が知らない受信機側の干渉が存在することができる。特に、広い周波数帯域では多様な通信システムに共存しながらチャネルに接近するようになり、各システムが互いに異なる帯域幅設定(ｂａｎｄｗｉｄｔｈ ｃｏｎｆｉｇｕｒａｔｉｏｎ)を有して動作中、周波数選択的な(ｆｒｅｑｕｅｎｃｙ ｓｅｌｅｃｔｉｖｅ)強い干渉信号(ｓｔｒｏｎｇ ｉｎｔｅｒｆｅｒｅｎｃｅ ｓｉｇｎａｌ)は受信機側でのみ感知され、送信機側ではこれに対することを感知しにくい。
【０１０６】
以下、チャネルサウンディングにおいて、ＡＰがＮＤＰＡフレーム及びＮＤＰを送信し、ＳＴＡがＮＤＰＡフレーム及びＮＤＰフレームの送信のために使われた帯域幅より小さい、または同じ帯域幅を介したフィードバックフレームを送信するプロトコルを提案する。
【０１０７】
図６は、本発明の実施例が適用されることができるチャネル使用の他の例示を示す。図６は、ＡＰのようにビームフォーマ観点のチャネル使用例示である。
【０１０８】
図６を参照すると、ＮＤＰＡフレームは、主サブチャネル(ｐｒｉｍａｒｙ ｓｕｂｃｈａｎｎｅｌ)を含み、各２０ＭＨｚ帯域幅の４個のサブチャネルを介して送信される。ＮＤＰＡフレームは、複製されたフレーム構造で送信される。したがって、ＡＰがＮＤＰＡフレームを大きい帯域幅をスパンして送信されても、ＳＴＡは。一部帯域のみ正常に受信すると。ＮＤＰＡフレームを正常にデコーディングして理解することができる。
【０１０９】
ＡＰは、ＮＤＰを送信するにあたって、ＮＤＰＡフレーム送信のためにスパンされた帯域幅に合わせて帯域幅をスパンして送信する。
【０１１０】
ＡＰは、ＮＤＰＡフレーム及びＮＤＰの送信のためにスパンされた帯域幅より狭い帯域幅を介してフィードバックフレームを受信する。
【０１１１】
図７は、本発明の実施例が適用されることができるチャネル使用の他の例示を示す。
【０１１２】
図７を参照すると、ＮＤＰＡフレーム及びＮＤＰは、複製されたフレーム(ｄｕｐｌｉｃａｔｅ ｆｒａｍｅ)構造で４個のサブチャネル、総８０ＭＨｚ帯域幅に送信される。しかし、ＮＤＰＡフレーム及びＮＤＰフレームが送信される８０ＭＨｚ帯域のうち特定４０ＭＨｚに受信端干渉(Ｒｘ ｉｎｔｅｒｆｅｒｅｎｃｅ)が発生した。
【０１１３】
この場合、ＮＤＰＡフレームは、複製されたフレーム構造で送信されるため、ＳＴＡは、該当フレームを２０ＭＨｚ単位にデコーディングすることができる。ＳＴＡが特定帯域幅に対してＮＤＰＡフレームをデコーディングした場合、ＮＤＰはＡＰにより意図された本来チャネル帯域を介して受信されても、ＳＴＡは前記特定帯域幅に対してチャネル推定を実行してフィードバックフレームを送信することができる。図７のような場合、ＳＴＡは４０ＭＨｚ帯域に対してチャネル推定を実行してチャネル状態情報を生成する。
【０１１４】
追加的に、ＳＴＡはフィードバックをするにあたって、ＳＴＡがＮＤＰＡフレーム及び/またはＮＤＰを正常に受信する帯域に主サブチャネルが含まれる場合、ＳＴＡがチャネル推定情報をフィードバックフレームに含ませて送信することを提案する。また、ＳＴＡは、フィードバックフレームを送信するにあたって、ＮＤＰＡフレーム及び/またはＮＤＰフレームを正常に受信した帯域を使用することができる。
【０１１５】
前記のようなチャネルサウンディングは、ＮＤＰＡが複製されたフレーム構造で送信されても、ＳＴＡは、ＮＤＰＡフレームが送信される時に使われる帯域幅情報が必要である。このような情報は、データフィールドのサービスフィールドに含まれることができる。または、ＮＤＰＡフレーム自体のフレームボディに含ませて送信することができる。
【０１１６】
一方、複数のＳＴＡに対してチャネルサウンディングが実行される場合、各ＳＴＡがサポートすることができる帯域幅が異なることがある。また、１番目のＳＴＡのフィードバックフレームを受信したＡＰが残りのＳＴＡに対しては他の帯域幅に対するチャネル状態情報及び/またはフィードバックフレームが送信される帯域幅を調節することを所望することができる。この場合、ＮＤＰＡフレーム及び/またはフィードバックポールフレームにフィードバックフレームが送信されることができる最大帯域幅を指示する情報及び/またはチャネル状態情報と関連した最大帯域幅情報が含まれることができる。フィードバックフレームが送信されることができる最大帯域幅と関連した情報は、ＰＰＤＵのデータフィールドのサービスフィールドの設定を介して具現されることができ、チャネル状態情報のためのチャネル推定と関連した最大帯域幅情報は、ＮＤＰＡフレーム及び/またはフィードバックポールフレームのフィールド追加を介して具現されることができる。
【０１１７】
図８は、本発明の実施例に係るチャネルサウンディングの例示を示す。ＳＴＡ１は、最優先順位にフィードバックするＳＴＡと仮定する。
【０１１８】
図８を参照すると、ＡＰ８１０は、ＳＴＡ１(８２１)及びＳＴＡ２(８２２)にＮＤＰＡフレームを送信する(Ｓ８１０)。その後、ＡＰ８１０は、ＳＴＡ１(８２１)及びＳＴＡ２(８２２)にＮＤＰを送信する(Ｓ８２０)。ＮＤＰＡフレームは、複製されたフレーム構造で１６０ＭＨｚ帯域幅をスパンしながら送信される。ＮＤＰも１６０ＭＨｚ帯域幅をスパンしながら送信される。
【０１１９】
ＮＤＰＡフレームには１６０ＭＨｚをスパンするという情報が含まれている。ＳＴＡ１(８２１)がＮＤＰＡフレームを受信するにあたって、１６０ＭＨｚ全体に対して正常に受信を受けることができなく、非−主サブチャネル(ｎｏｎ−ｐｒｉｍａｒｙ ｓｕｂｃｈａｎｎｅｌ)を含む特定帯域で干渉が発生し、主サブチャネルを含む８０ＭＨｚ帯域幅に対して正常に受信されたと仮定する。
【０１２０】
ＳＴＡ１(８２１)は、８０ＭＨｚ帯域幅に対してＮＤＰベースのチャネル推定を実行し、８０ＭＨｚに対するチャネル状態情報をＡＰにフィードバックする(Ｓ８３０)。この時、チャネル状態情報を含むフィードバックフレームは、８０ＭＨｚ帯域幅を介して送信されることができる。
【０１２１】
ＡＰ８１０は、ＳＴＡ２(８２２)により取得されたチャネル状態情報をフィードバック受けるために、ＳＴＡ２(８２２)にフィードバックポールフレームを送信する(Ｓ８４０)。ＳＴＡ２(８２２)のフィードバックフレームが送信される帯域幅を制限するために、ＡＰ８１０は、ポールフレームに８０ＭＨｚに対するチャネル推定を指示する情報を含ませることができる。
【０１２２】
ＳＴＡ２(８２２)は、ポールフレームに含まれている情報が指示する８０ＭＨｚに対してチャネル推定を実行し、チャネル状態情報をフィードバックフレームに含ませてＡＰ８１０に送信する(Ｓ８５０)。フィードバックフレーム送信のための帯域幅は、ＳＴＡ２(８２２)が使用可能であると判断した帯域幅になることができる。ＳＴＡ２(８２２)が１６０ＭＨｚを介してＮＤＰＡフレーム及びＮＤＰを正常に受信した場合、１６０ＭＨｚを使用してフィードバックフレームを送信することができる。ＳＴＡ２(８２２)もＳＴＡ１(８２１)のように、８０ＭＨｚに対してのみＮＤＰＡを正常に受信した場合、８０ＭＨｚを使用してフィードバックフレームを送信することができる。受信したフィードバックポールフレームにフィードバックフレーム送信のための最大帯域幅情報が含まれている場合、ＳＴＡ２(８２２)は、指示された最大帯域幅情報に基づいてそのより小さい、または同じ帯域幅を使用してフィードバックフレームを送信することができる。
【０１２３】
ＳＴＡがＮＤＰＡフレーム及び/またはＮＤＰフレームが送信される帯域幅より小さい帯域幅に対するチャネル状態情報をフィードバックする場合、その理由を指示する情報をフィードバックフレームに含ませて送信することができる。この時、理由を指示する情報は、理由コード(ｒｅａｓｏｎ ｃｏｄｅ)であり、事前に約束された情報を使用して知らせることで具現されることができる。理由コード(ｒｅａｓｏｎ ｃｏｄｅ)は、下記の表５のように与えられることができる。
【０１２４】
【表５】
0005518264.tif 000006
【０１２５】
追加的に理由コードが２０、４０、８０、１６０または８０＋８０ＭＨｚなど、サブチャネルでチャネル占有状態(ＣＣＡｂｕｓｙ)が感知され、またはＮＤＰＡフレーム及び/またはＮＤＰの正常な受信されないことを指示すると、ＳＴＡは該当サブチャネルを指示する情報をフィードバックフレームに含ませて送信することができる。また、ＣＣＡ ｂｕｓｙ感知され、またはＮＤＰＡフレーム/ＮＤＰ正常受信が行われない場合には該当理由に対する詳細な情報がさらに含まれることができる。一例として、ＮＤＰＡフレームの受信前に持続的にエネルギー感知ＣＣＡ ｂｕｓｙになったか、ＮＤＰＡフレームの受信前に持続的に有効な８０２.１１信号ＣＣＡ ｂｕｓｙになったか、またはＮＤＰＡフレーム及び/またはＮＤＰ自体を受信する時に特定サブチャネルでは受信及びデコーディングされなかったかを区分して知らせることができる。
【０１２６】
図９は、本発明の実施例が適用されることができる無線装置を示すブロック図である。無線装置は、ＡＰまたはＳＴＡである。
【０１２７】
無線装置９００は、プロセッサ９１０、メモリ９２０及びトランシーバ(ｔｒａｎｓｃｅｉｖｅｒ)９３０を含む。トランシーバ９３０は、無線信号を送信/受信し、ＩＥＥＥ８０２.１１の物理階層が具現される。プロセッサ９１０は、トランシーバ９３０と機能的に連結され、ＩＥＥＥ８０２.１１のＭＡＣ階層及び物理階層を具現する。プロセッサ９１０は、本発明が提案するＮＤＰＡフレーム、ＮＤＰ、フィードバックポールフレームを生成して送信するように設定されることができ、また、送信されたフレームを受信し、含まれているフィールド値を解釈してチャネル推定/チャネル状態情報を取得するように設定されることができる。プロセッサ９１０は、ＮＤＰＡフレーム/ＮＤＰに含まれている情報に基づき、特定帯域幅に基づいてチャネル推定及びチャネル状態情報をフィードバックするよう設定されることができる。プロセッサ９１０は、受信したフィードバックフレームによって以後チャネルサウンディングを進行するように設定されることができる。プロセッサ９１０は、図４及び図８を参照して前述した本発明の実施例を具現するように設定されることができる。
【０１２８】
プロセッサ９１０及び/またはトランシーバ９３０は、ＡＳＩＣ(ａｐｐｌｉｃａｔｉｏｎ−ｓｐｅｃｉｆｉｃ ｉｎｔｅｇｒａｔｅｄ ｃｉｒｃｕｉｔ)、他のチップセット、論理回路及び/またはデータ処理装置を含むことができる。メモリ９２０は、ＲＯＭ(ｒｅａｄ−ｏｎｌｙ ｍｅｍｏｒｙ)、ＲＡＭ(ｒａｎｄｏｍ ａｃｃｅｓｓ ｍｅｍｏｒｙ)、フラッシュメモリ、メモリカード、格納媒体及び/または他の格納装置を含むことができる。実施例がソフトウェアで具現される時、前述した技法は前述した機能を遂行するモジュール(過程、機能など)で具現されることができる。モジュールは、メモリ９２０に格納され、プロセッサ９１０により実行されることができる。メモリ９２０は、プロセッサ９１０の内部または外部にあり、よく知られた多様な手段によりプロセッサ９１０と連結されることができる。
【図１】
0005518264.tif 000007
【図２】
0005518264.tif 000008
【図３】
0005518264.tif 000009
【図４】
0005518264.tif 000010
【図５】
0005518264.tif 000011
【図６】
0005518264.tif 000012
【図７】
0005518264.tif 000013
【図８】
0005518264.tif 000014
【図９】
0005518264.tif 000015